(57)【要約】【課題】  デジタルサイネージ端末とモバイル端末の間での情報配信に関する操作性を向上させること。【解決手段】  デジタルサイネージ端末が、画像表示手段と、この画像表示手段に表示させる複数の画像の画像ファイルを記憶した記憶手段と、表示された複数の画像の裏面側に取付けられた複数の非接触型ICチップリーダライタと、モバイル端末を画像表示手段に表示された複数の画像のいずれかに接近させることにより当該画像の裏面側に取付けられた非接触型ICチップリーダライタがモバイル端末に取付けられた非接触型ICチップを検知した場合に、当該非接触型ICチップリーダライタに対応した画像の画像ファイル識別子とICチップリーダライタ識別子との組に対応した配信データを前記記憶手段から読み出し、その読み出した配信データを当該非接触型ICチップリーダライタから前記モバイル端末の非接触型ICチップに無線通信で配信する配信手段とを備える。【選択図】      図１
2010074401.tif 000002
【特許請求の範囲】
【請求項１】
デジタルサイネージ端末とモバイル端末とから構成され、デジタルサイネージ端末の表示画面に表示された複数の画像のそれぞれに対応付けられた情報をモバイル端末に配信するシステムであって、
前記デジタルサイネージ端末が、
画像表示手段と、この画像表示手段に表示させる複数の画像の画像ファイルを記憶した記憶手段と、表示された複数の画像に対応して前記画像表示手段の裏面側に取付けられた複数の非接触型ICチップリーダライタと、前記モバイル端末を前記画像表示手段に表示された複数の画像のいずれかに接近させることにより当該画像に対応して前記画像表示手段の裏面側に取付けられた非接触型ICチップリーダライタが前記モバイル端末に取付けられた非接触型ICチップを検知した場合に、当該非接触型ICチップリーダライタに対応した画像の画像ファイル識別子とICチップリーダライタ識別子との組に対応した配信データを前記記憶手段から読み出し、その読み出した配信データを非接触型ICチップを検知した当該非接触型ICチップリーダライタに送信し、当該非接触型ICチップリーダライタから前記モバイル端末の非接触型ICチップに無線通信で配信する配信手段とを備え、
前記モバイル端末が、
非接触型ICチップと、この非接触型ICチップが受信した配信データを当該モバイル端末の表示画面に表示する表示処理手段とを備える
ことを特徴とする情報配信システム。
【請求項２】
前記配信手段が、前記モバイル端末に配信する配信データを前記記憶手段から読み出す時に、非接触型ICチップを検知した非接触型ICチップリーダライタに対応した画像の画像ファイル識別子として次に配信する配信データに対応する画像ファイル識別子を前記記憶手段から読出し、非接触型ICチップを検知した非接触型ICチップリーダライタに記憶させる手段を備えることを特徴とする請求項１に記載の情報配信システム。
【請求項３】
表示画面に表示された複数の画像のそれぞれに対応付けられた情報をモバイル端末に配信するデジタルサイネージ端末であって、
画像表示手段と、この画像表示手段に表示させる複数の画像の画像ファイルを記憶した記憶手段と、表示された複数の画像に対応して前記画像表示手段の裏面側に取付けられた複数の非接触型ICチップリーダライタと、前記モバイル端末を前記画像表示手段に表示された複数の画像のいずれかに接近させることにより当該画像に対応して前記画像表示手段の裏面側に取付けられた非接触型ICチップリーダライタが前記モバイル端末に取付けられた非接触型ICチップを検知した場合に、当該非接触型ICチップリーダライタに対応した画像の画像ファイル識別子とICチップリーダライタ識別子との組に対応した配信データを前記記憶手段から読み出し、その読み出した配信データを非接触型ICチップを検知した当該非接触型ICチップリーダライタに送信し、当該非接触型ICチップリーダライタから前記モバイル端末の非接触型ICチップに無線通信で配信する配信手段とを備える
ことを特徴とするデジタルサイネージ端末。
【発明の詳細な説明】
【技術分野】
【０００１】
本発明は、デジタルサイネージ端末（情報案内ディスプレイ装置）とモバイル端末の間で非接触型ICチップによる通信を行なう情報配信システムに関する。
【背景技術】
【０００２】
従来において、この種の情報配信システムとして下記の特許文献１に開示されたものがある。
下記の特許文献１に開示されている情報提供システムでは、ユーザの移動経路上に設置された情報案内ディスプレイ装置（デジタルサイネージ端末）が、端末ＩＤ読込部（非接触型ICチップリーダライタ）で、ユーザが所有する携帯端末（モバイル端末）の端末ＩＤを読み取り、端末ＩＤに応じた情報をディスプレイ（画像表示装置）に表示する。
【０００３】
【特許文献１】特開２００８−１２９７７３号公報
【発明の開示】
【発明が解決しようとする課題】
【０００４】
しかしながら、特許文献１に開示された従来の情報提供システムにあっては、情報案内ディスプレイ装置について、端末ＩＤ読込部とディスプレイが別々に設置されているため、ディスプレイに表示されている箇所の選択と、モバイル端末による情報の受け取りを、同時に行なうことができず操作性が劣るという問題点がある。
そこで本発明は、上記の問題点を解決することで、デジタルサイネージ端末とモバイル端末の間での情報配信に関して、操作性を向上することが可能な情報配信システムを提供することを目的とする。
【課題を解決するための手段】
【０００５】
上記目的を達成するために、本発明に係る情報配信システムは、デジタルサイネージ端末とモバイル端末とから構成され、デジタルサイネージ端末の表示画面に表示された複数の画像のそれぞれに対応付けられた情報をモバイル端末に配信するシステムであって、
前記デジタルサイネージ端末が、
画像表示手段と、この画像表示手段に表示させる複数の画像の画像ファイルを記憶した記憶手段と、表示された複数の画像の裏面側に取付けられた複数の非接触型ICチップリーダライタと、前記モバイル端末を前記画像表示手段に表示された複数の画像のいずれかに接近させることにより当該画像の裏面側に取付けられた非接触型ICチップリーダライタが前記モバイル端末に取付けられた非接触型ICチップを検知した場合に、当該非接触型ICチップリーダライタに対応した画像の画像ファイル識別子とICチップリーダライタ識別子との組に対応した配信データを前記記憶手段から読み出し、その読み出した配信データを非接触型ICチップを検知した当該非接触型ICチップリーダライタに送信し、当該非接触型ICチップリーダライタから前記モバイル端末の非接触型ICチップに無線通信で配信する配信手段とを備え、
前記モバイル端末が、
非接触型ICチップと、この非接触型ICチップが受信した配信データを当該モバイル端末の表示画面に表示する表示処理手段とを備える
ことを特徴とする情報配信システム。
【０００６】
また、前記配信手段が、前記モバイル端末に配信する配信データを前記記憶手段から読み出す時に、非接触型ICチップを検知した非接触型ICチップリーダライタに対応した画像の画像ファイル識別子として次に配信する配信データに対応する画像ファイル識別子を前記記憶手段から読出し、非接触型ICチップを検知した非接触型ICチップリーダライタに記憶させる手段を備えることを特徴とする。
本発明に係るデジタルサイネージ端末は、表示画面に表示された複数の画像のそれぞれに対応付けられた情報をモバイル端末に配信するデジタルサイネージ端末であって、
画像表示手段と、この画像表示手段に表示させる複数の画像の画像ファイルを記憶した記憶手段と、表示された複数の画像に対応して前記画像表示手段の裏面側に取付けられた複数の非接触型ICチップリーダライタと、前記モバイル端末を前記画像表示手段に表示された複数の画像のいずれかに接近させることにより当該画像に対応して前記画像表示手段の裏面側に取付けられた非接触型ICチップリーダライタが前記モバイル端末に取付けられた非接触型ICチップを検知した場合に、当該非接触型ICチップリーダライタに対応した画像の画像ファイル識別子とICチップリーダライタ識別子との組に対応した配信データを前記記憶手段から読み出し、その読み出した配信データを非接触型ICチップを検知した当該非接触型ICチップリーダライタに送信し、当該非接触型ICチップリーダライタから前記モバイル端末の非接触型ICチップに無線通信で配信する配信手段とを備えることを特徴とする。
【発明の効果】
【０００７】
本発明によれば、デジタルサイネージ端末が、画像表示手段の裏面側に複数台の非接触型ICチップリーダライタを搭載し、非接触型ICチップリーダライタ毎に異なる配信データを記憶させることで、画像表示手段の表示画面に表示されている画像の選択とモバイル端末による情報の受け取りをワンタッチで同時に行なうことができ、操作性を向上させることができる。
【発明を実施するための最良の形態】
【０００８】
以下、本発明に係る情報配信システムの実施形態について図面を参照しながら説明する。
図１は、本発明に係る情報配信システムの実施形態を示す図であり、デジタルサイネージ端末１とモバイル端末２とで構成されている。
図１においては、デジタルサイネージ端末１とモバイル端末２を側面から見た構成図を示している。
図１において、本発明の情報配信システムは、デジタルサイネージ端末１が、薄型画像表示装置３の裏面側に複数台の非接触型ICチップリーダライタ４を搭載しており、記憶装置５に複数の画像ファイルと、画像ファイル毎かつ非接触型ICチップリーダライタ毎に配信データを記憶し、モバイル端末２が、画像表示装置６と非接触型ICチップ７を搭載して構成される。
【０００９】
薄型画像表示装置３とは、これを非接触型ICチップリーダライタ４と非接触型ICチップ７の間に設置しても、非接触型ICチップリーダライタ４と非接触型ICチップ７との間で無線通信可能な厚さと材質から成る画像表示装置であり、例えば電子ペーパーである。
デジタルサイネージ端末１の内部では、薄型画像表示装置３と非接触型ICチップリーダライタ４と記憶装置５が、CPU・メモリ８とデータバス９を介して接続されている。
モバイル端末２の内部では、画像表示装置６と非接触型ICチップ７が、CPU・メモリ１０とデータバス１１を介して接続されている。
【００１０】
図２に、非接触型ICチップリーダライタ４の搭載の一例を示す。
図２は、薄型画像表示装置３の裏面側から見た図である。
薄型画像表示装置３の裏に４台の非接触型ICチップリーダライタ４を搭載し、薄型画像表示装置３の表から見て、左上の非接触型ICチップリーダライタに識別子「R/W11」、
右上の非接触型ICチップリーダライタに識別子「R/W12」、左下の非接触型ICチップリーダライタに識別子「R/W21」、右下の非接触型ICチップリーダライタに識別子「R/W22」が割り当てられている。
各々の非接触型ICチップリーダライタ４には、異なる非接触型ICチップリーダライタ識別子が割り当てられている。
【００１１】
図３に、薄型画像表示装置３に画像データを表示するための画像ファイルの一例を示す。
図３では、３つの画像ファイルを並べた図である。
記憶装置５に３つの画像ファイルを記憶し、左側の画像ファイルに識別子「路線案内図」、
中央の画像ファイルに識別子「発車案内図」、右側の画像ファイルに識別子「Ａ駅構内図」が割り当てられている。
各々の画像ファイルには、異なる画像ファイル識別子が割り当てられている。
【００１２】
図４に、配信データの一例を示す。配信データとは、「Ａ駅構内図」〜「Ｂ駅構内図」などの見出しまたはタイトル画像に対し詳細内容を提供するＵＲＬである。
図４は、画像ファイル毎かつ非接触型ICチップリーダライタ毎の配信データと次画像ファイル識別子を表形式で並べた図である。
記憶装置５には、画像ファイル識別子と非接触型ICチップリーダライタ識別子の組毎に、配信データと次画像ファイル識別子が記憶されている。
【００１３】
以下、本発明の情報配信システムの処理の一例について説明する。
最初に、デジタルサイネージ端末１の表示処理の一例について、図５を参照しながら説明する。ただし、CPU・メモリ８が、画像ファイル識別子を記憶しているものとする。
まず、CPU・メモリ８が、記憶装置５からデータバス９経由で画像ファイルを読み取って薄型画像表示装置３に送信する。
次に、薄型画像表示装置３が画像ファイルを受信して表示する。
この時点では、薄型画像表示装置３の表示画面には図５に示すように例えばＡ駅〜Ｄ駅の見出しまたはタイトルの文字ボックスが表示される。
次に、CPU・メモリ８が、記憶装置５からデータバス９経由で画像ファイル識別子と組になる非接触型ICチップリーダライタ識別子と配信データの組を読み取って、読み取った非接触型ICチップリーダライタ識別子毎に、非接触型ICチップリーダライタ識別子が割り当てられている非接触型ICチップリーダライタ４にデータバス９経由で非接触型ICチップリーダライタ識別子と組になる配信データを送信する。
配信データとは、薄型画像表示装置３の表示画面に表示したＡ駅〜Ｄ駅の案内ページのＵＲＬである。
【００１４】
次に、非接触型ICチップリーダライタ４がCPU・メモリ８からの配信データをデータバス９経由で受信して記憶する。
図５の例では、CPU・メモリ８が画像ファイル識別子「路線案内図」を記憶している場合であり、薄型画像表示装置３が画像ファイル識別子「路線案内図」が割り当てられている画像ファイルを表示し、非接触型ICチップリーダライタ識別子「R/W11」が割り当てられている非接触型ICチップリーダライタ４が配信データ「Ａ駅の案内ページhttp://x.jp/A.html」を記憶し、非接触型ICチップリーダライタ識別子「R/W12」が割り当てられている非接触型ICチップリーダライタ４が配信データ「Ｂ駅の案内ページhttp://x.jp/B.html」を記憶し、非接触型ICチップリーダライタ識別子「R/W21」が割り当てられている非接触型ICチップリーダライタ４が配信データ「Ｄ駅の案内ページhttp://x.jp/D.html」を記憶し、非接触型ICチップリーダライタ識別子「R/W22」が割り当てられている非接触型ICチップリーダライタ４が配信データ「Ｃ駅の案内ページhttp://x.jp/C.html」を記憶する。
【００１５】
次に、デジタルサイネージ端末１とモバイル端末２の間の通信処理の一例について、図６を参照しながら説明する。ただし、本処理は、デジタルサイネージ端末１の薄型画像表示装置３にモバイル端末２を近接させることで実行される。
まず、薄型画像表示装置３の裏面側のいずれか１台の非接触型ICチップリーダライタ４が、モバイル端末２の非接触型ICチップ７を検知する。
次に、検知した非接触型ICチップリーダライタ４が、モバイル端末２の非接触型ICチップ７に無線通信で記憶した配信データを書き込んで、CPU・メモリ８にデータバス１１経由で非接触型ICチップリーダライタ識別子を送信する。
【００１６】
次に、CPU・メモリ８が、記憶装置５から画像ファイル識別子と非接触型ICチップリーダライタ識別子と組になる次画像ファイル識別子を読み取って、現在記憶している画像ファイル識別子の代わりに次画像ファイル識別子を記憶して、デジタルサイネージ端末１の表示処理を実行する。
図６の例では、薄型画像表示装置３に表示された「路線案内図」の「Ａ駅」の表示部分にモバイル端末２を近接させることで、「路線案内図」の「Ａ駅」の表示部分の裏の識別子「R/W11」が割り当てられている非接触型ICチップリーダライタ４が非接触型ICチップ７を検知し、非接触型ICチップ７に配信データ「Ａ駅の案内ページhttp://x.jp/A.html」を書き込んで、薄型画像表示装置３には画像ファイル識別子「Ａ駅構内図」が割り当てられている次に表示させる画像ファイルを表示する。
【００１７】
次に、モバイル端末２の表示処理の一例について、図７を参照しながら説明する。ただし、本処理は、モバイル端末２の非接触型ICチップ７に配信データが書き込まれることで実行される。
まず、CPU・メモリ１０が、非接触型ICチップ７からデータバス１１経由で配信データを読み取って、画像表示装置６にデータバス１１経由で読み取った配信データを送信する。
次に、画像表示装置６が、CPU・メモリ１０からデータバス１１経由で配信データを受信して表示する。
図７の例では、画像表示装置６が非接触型ICチップ７に書き込まれている配信データ「Ａ駅の案内ページhttp://x.jp/A.html」を表示している例を示している。
【図面の簡単な説明】
【００１８】
【図１】本発明に係る情報配信システムの実施の形態を示すシステム構成図である。
【図２】非接触型ICチップリーダライタの構成例を示す図である。
【図３】画像ファイルの一例を示す図である。
【図４】配信データの一例を示す図である。
【図５】デジタルサイネージ端末の表示処理の一例を示す図である。
【図６】デジタルサイネージ端末とモバイル端末の間の通信処理の一例を示す図である。
【図７】モバイル端末の表示処理の一例を示す図である。
【符号の説明】
【００１９】
１  デジタルサイネージ端末
２  モバイル端末
３  薄型画像表示装置
４  非接触型ICチップリーダライタ
５  記憶装置
６  画像表示装置
７  非接触型ICチップ
８  CPU・メモリ
９  データバス
１０  CPU・メモリ
１１  データバス
【図１】
2010074401.tif 000003
【図２】
2010074401.tif 000004
【図３】
2010074401.tif 000005
【図４】
2010074401.tif 000006
【図５】
2010074401.tif 000007
【図６】
2010074401.tif 000008
【図７】
2010074401.tif 000009